(57)【要約】【課題】浮遊式の流量計における流体の流量を遠隔にて確認できるようにする。【解決手段】流量計１は、流量測定対象の流体を流通させるテーパー管２と、この管２内に収納され磁性体を有するフロート３と、このフロート３の磁界を感知して前記流体の流量を検出し出力する流量検出部４とを備える。流量検出部４は、テーパー管２の流量目盛５の数値に達したフロート３の磁界を感知して導通状態となるスイッチと、このスイッチと導通する回路と、この回路から前記数値に対応した電流値の電流を発生させる抵抗と、前記値の電流を出力する信号出力部とを備える。【選択図】図１
2014009971.tif 000002
【特許請求の範囲】
【請求項１】
流量測定対象の流体を流通させるテーパー管と、
この管内に収納され磁性体を有するフロートと、
このフロートの磁界を感知して前記流体の流量を検出し出力する流量検出部と
を備えたこと
を特徴とする流量計。
【請求項２】
前記流量検出部は、
前記テーパー管の流量目盛の数値に達した前記フロートの磁界を感知して導通状態となるスイッチと、
このスイッチと導通する回路と、
この回路から前記数値に対応した電流値の電流を発生させる抵抗と、
前記値の電流を出力する信号出力部と
を備えたこと
を特徴とする請求項１に記載の流量計。
【発明の詳細な説明】
【技術分野】
【０００１】
本発明は流体の流量を計測する浮遊式の流量計に関する。
【背景技術】
【０００２】
浮遊式の流量計は、鉛直に配置されたテーパー管内に測定対象の流体を流通させ、この管内におけるフロートの上流側と下流側の差圧の均衡によりほぼ静止した当該フロートが示す流量目盛から前記流体の流量を読み取る仕様のものである（特許文献１等）。
【０００３】
また、特許文献１には、前記フロートに磁性体を内蔵させ、前記テーパー管の外部から当該フロートの位置を検出する磁気センサを備えた流量計が開示されている。
【先行技術文献】
【特許文献】
【０００４】
【特許文献１】特開２００８−１０７３１７号公報
【発明の概要】
【発明が解決しようとする課題】
【０００５】
浮遊式の流量計はその流量の値を遠隔にて確認することが困難であるので当該流量計が設置された現場に赴き目視によって確認する必要がある。
【０００６】
尚、特許文献１の流量計は磁性体を内蔵したフロートの位置を検出するための磁気センサを備えているが、これは警報や制御リミットのトリガーとして機能しているにすぎない。
【課題を解決するための手段】
【０００７】
そこで、本発明は、流量測定対象の流体を流通させたテーパー管内のフロートの磁界を感知して当該流体の流量を検出し出力する。
【０００８】
本発明の流量計としての態様は、流量測定対象の流体を流通させるテーパー管と、この管内に収納され磁性体を有するフロートと、このフロートの磁界を感知して前記流体の流量を検出し出力する流量検出部とを備える。
【０００９】
前記流量検出部の態様としては、例えば、前記テーパー管の流量目盛の数値に達した前記フロートの磁界を感知して導通状態となるスイッチと、このスイッチと導通する回路と、この回路から前記数値に対応した電流値の電流を発生させる抵抗と、前記値の電流を出力する信号出力部とを備える。本態様によれば、テーパー管の流量目盛の数値に基づく流体の流量を検出し出力できる。
【発明の効果】
【００１０】
したがって、以上の発明によれば浮遊式の流量計における流体の流量を遠隔にて確認できる。
【図面の簡単な説明】
【００１１】
【図１】本発明の実施形態における流量計の構成を示した縦断面図。
【図２】同流量計の流量検出部の回路図。
【発明を実施するための形態】
【００１２】
以下に図面を参照しながら本発明の実施形態について説明する。
【００１３】
図１に示した本実施形態の流量計１は、浮遊式流量計であって、流量測定対象の流体を流通させるテーパー管２と、この管２内に収納され磁性体を有するフロート３と、このフロート３の磁界を感知して前記流体の流量を検出し出力する流量検出部４とを備える。前記測定対象の流体は液体、気体のいずれかであってもよい。
【００１４】
テーパー管２は硬質ガラス，アクリル樹脂，フッ素樹脂，ステンレス等に例示される非磁性体の部材からなり、その外側面には管２の全長方向に沿って流量目盛５が付されている。テーパー管２の上流側の一端には図示省略の上流側配管から流体を導入する導入口２１が開口され、下流側の他端には当該導入した流体を図示省略の下流側配管へと排出する排出口２２が開口されている。そして、導入口２１，排出口２２の付近の内周面にはフロート３のストッパー１２，１３が各々装着されている。
【００１５】
導入口２１，排出口２２には上流側配管，下流側配管を各々連結させるアダプタ管１０が接続される。テーパー管２とアダプタ管１０は連結具１１によって連結されている。尚、テーパー管２とアダプタ管１０との接面部にはパッキン１４を介在させることで気密性が確保されている。
【００１６】
フロート３としては球状、円錐状のものが例示される。フロート３に円錐状のものが採用される場合、テーパー管２内にはこの管２の口径に応じて適宜にフロートガイドが当該管２と同軸に備え付けられる。
【００１７】
流量検出部４はテーパー管２外部の流量目盛５の背面側または側面側に配置される。流量検出部４は、図２に示した基板６において、流量目盛５の数値に達したフロート３の磁界を感知して導通状態となるスイッチＳ１〜Ｓ１０と、このスイッチＳ１〜Ｓ１０と導通する回路７と、この回路７から前記数値に対応した電流値の電流を発生させる抵抗Ｒ０〜Ｒ１０と、前記値の電流を出力する信号出力部８とを備える。
【００１８】
スイッチＳ１〜Ｓ１０としては周知の磁気感応スイッチが挙げられる。磁気感応スイッチは相対する一対の磁性体リードを備える。この相対する磁性体リードの自由端は、磁界から解放されている場合には所定の接点間隔で離間した状態となっているが、磁界に在ると磁化して互いに接触しリード間が導通状態となる。そして、この互いに接触した自由端は前記磁界から解放されると当該自由端自身の弾性回復力により乖離してリード間が遮断状態となる。
【００１９】
スイッチＳ１〜Ｓ１０は基板６上にて所定の間隔に配置される。具体的にはテーパー管２の流量目盛５に付された数値の間隔と等間隔でスイッチＳ１〜Ｓ１０が配置される。流量目盛５の測定範囲が例えば１〜１０ｍ3／ｈである場合、スイッチＳ１，Ｓ２，…，Ｓ９，Ｓ１０は当該目盛５の数値１,２,…,９,１０の間隔と同等に配置される。そして、流量検出部４がテーパー管２に取り付けられる際には同検出部４はスイッチＳ１〜Ｓ１０の各位置が流量目盛５の数値１,２,…,９,１０の各位置と対応するように配置される。
【００２０】
抵抗Ｒ０〜Ｒ１０は図２に示されたように直流（例えばＤＣ２４Ｖ）の回路７において直列に接続されることにより、回路７から所定範囲（例えば約４．０〜２０．０ｍＡ）の電流を出力できるようになっている。
【００２１】
特に、抵抗Ｒ１〜Ｒ１０の各々はスイッチＳ１〜Ｓ１０の各々と直列に接続されることにより、当該スイッチの配置に対応した電流値の電流を回路７から出力できるようになっている。
【００２２】
例えば、図２の回路７（ＤＣ２４Ｖ）によると、スイッチＳ１〜Ｓ１０が遮断状態の場合、抵抗Ｒ０〜Ｒ１０の合成抵抗に基づく電流値（例えば約４．０ｍＡ）の電流が出力される。スイッチＳ１が導通状態の場合、抵抗Ｒ１〜Ｒ１０の合成抵抗に基づく電流値（例えば約５．６ｍＡ）の電流が出力される。スイッチＳ２が導通状態の場合、抵抗Ｒ２〜Ｒ１０の合成抵抗に基づく電流値（例えば約７．２ｍＡ）の電流が出力される。スイッチＳ３が導通状態の場合、抵抗Ｒ３〜Ｒ１０の合成抵抗に基づく電流値（例えば約８．８ｍＡ）の電流が出力される。スイッチＳ４が導通状態の場合、抵抗Ｒ４〜Ｒ１０の合成抵抗に基づく電流値（例えば約１０．４ｍＡ）の電流が出力される。スイッチＳ５が導通状態の場合、抵抗Ｒ５〜Ｒ１０の合成抵抗に基づく電流値（例えば約１２．０ｍＡ）の電流が出力される。スイッチＳ６が導通状態の場合、抵抗Ｒ６〜Ｒ１０の合成抵抗に基づく電流値（例えば約１３．６ｍＡ）の電流が出力される。スイッチＳ７が導通状態の場合、抵抗Ｒ７〜Ｒ１０の合成抵抗に基づく電流値（例えば約１５．２ｍＡ）の電流が出力される。スイッチＳ８が導通状態の場合、抵抗Ｒ８〜Ｒ１０の合成抵抗に基づく電流値（例えば約１６．８ｍＡ）の電流が出力される。スイッチＳ９が導通状態の場合、抵抗Ｒ９，Ｒ１０の合成抵抗に基づく電流値（例えば約１８．４ｍＡ）の電流が出力される。スイッチＳ１０が導通状態の場合、抵抗Ｒ１０に基づく電流値（例えば約２０．０ｍＡ）の電流が出力される。
【００２３】
信号出力部８は回路７から受けた電流を流量検出部４の外部に設置された信号処理部９に出力する。信号処理部９は信号出力部８から受けた電流の電流値を流量値に変換する。信号処理部９においてはテーパー管２の仕様（流量目盛５の測定範囲及び単位）に応じて流量の測定範囲及び単位（例えば、ｍＬ／ｓ、ｍＬ／ｍｉｎ、ｍＬ／ｈ、Ｌ／ｓ、Ｌ／ｍｉｎ、Ｌ／ｈ、ｍ3／ｍｉｎ、ｍ3／ｈ、ｇ／ｓ、ｇ／ｍｉｎ、ｇ／ｈ、ｋｇ／ｓ、ｋｇ／ｍｉｎ、ｋｇ／ｈ等）が任意に設定可能となっている。尚、信号処理部９はさらに遠隔（例えば中央監視室等）に送信できるようにしてもよい。
【００２４】
図１、２を参照しながら流量計１の動作例について説明する。
【００２５】
以下に説明する動作例は、流量目盛５の測定範囲が０〜１０Ｌ／ｍｉｎであり、その目盛数値１，２，３，４，５，６，７，８，９，１０の各位置に対応して流量検出部４のスイッチＳ１〜Ｓ１０の各々が配置された場合の事例である。信号処理部９においては予め測定範囲が０〜１０Ｌ／ｍｉｎ、流量の単位がＬ／ｍｉｎに設定される。
【００２６】
導入口２１からテーパー管２内に導入された流体を排出口２２側に流通させると、フロート３はその上流側，下流側の差圧の力により上方に押上げられるが、フロート３とテーパー管２中との環状面積が増加するので、流速が小さくなり前記差圧が均衡したところで静止する。このとき、流量検出部４においてはフロート３の磁界を感知した何れかのスイッチＳ１〜Ｓ１０が導通状態となる。
【００２７】
例えば、フロート３がテーパー管２において流量目盛５の目盛数値「７」の位置に達している場合、スイッチＳ７はフロート３の磁性体の磁界を感知して導通状態となる。スイッチＳ７が導通状態となると、回路７（例えばＤＣ２４Ｖ）からは抵抗Ｒ７〜Ｒ１０の合成抵抗に基づく値（例えば約１５．２ｍＡ）の電流が出力される。回路７から出力された電流は信号出力部８を介して外部設備（例えば制御盤）における信号処理部９に出力される。
【００２８】
信号処理部９は信号出力部８から受けた電流の値（例えば約１５．２ｍＡ）を流量の値（７．０Ｌ／ｍｉｎ）に変換する。この流量の値は信号処理部９のメモリ機能部に保存または図示省略された表示部にて出力表示される。
【００２９】
以上の説明から明らかなように本実施形態の流量計１によれば浮遊式の流量計における流体の流量を遠隔にて確認できる。特に、流量計１からはテーパー管２の流量目盛５に基づく流量が検出，出力され、遠隔にて確認できる。本態様は比較的精密な流量の把握を要求していない現場において遠隔からの流量確認を安価に行える。
【符号の説明】
【００３０】
１…流量計
２…テーパー管
３…フロート
４…流量検出部
５…流量目盛
７…回路
８…信号出力部
Ｓ１〜Ｓ１０…スイッチ
Ｒ０〜Ｒ１０…抵抗
【図１】
2014009971.tif 000003
【図２】
2014009971.tif 000004